(57)【要約】  【課題】  夜間等でも点灯制御スイッチの位置を容易に把握でき、取り付け作業が煩雑とならない照明装置を提供することを目的とする。  【解決手段】  放出光の一部を室内照明に使用する光源と、  前記光源の点灯制御以外に使用するスイッチ部と、及び  前記光源の放出光の他の一部を導入する第１光導入面と、前記スイッチ部の外周の少なくとも一部に沿って形成された第１光放出面とを備える導光体と、  を備える照明装置とする。  【選択図】  図２
2006007856.tif 000002
【特許請求の範囲】
【請求項１】
放出光の一部が室内照明に使用される光源と、
前記光源の点灯制御以外に使用されるスイッチ部と、及び
前記光源の放出光の他の一部を導入する第１光導入面と、前記スイッチ部の外周の少なくとも一部に沿って形成された第１光放出面とを備える導光体と、
を備える照明装置。
【請求項２】
前記光源の光放出側全体を覆うように前記導光体が設けられており、
前記放出光の前記一部は、前記導光体を通った後に室内照明に使用される、請求項１に記載の照明装置。
【請求項３】
前記第１光放出面が前記スイッチ部の全外周に沿って形成される、請求項１又は２に記載の照明装置。
【請求項４】
前記導光体が、スイッチ部用の開口部を備え、該スイッチ用開口部の前記光源側壁面が、その裏面から入射する光を前記導光体の縁部方向に反射する反射面となっている、請求項１〜３のいずれかに記載の照明装置。
【発明の詳細な説明】
【技術分野】
【０００１】
本発明は照明装置に関する。詳しくは、スイッチ位置表示用の光放出面を有する照明装置に関する。
【背景技術】
【０００２】
自動車の室内において、夜間や暗所でも地図などを見ることができるように、乗員の手元などを照明するマップランプが利用されている。マップランプは通常、車両室内天井に設置され、同じく車両室内天井に設けられたスイッチによりその点灯状態が制御される。尚、車両室内天井に設けられるランプの一例が特許文献１に開示される。
【０００３】
【特許文献１】特開２００２−１２７８２１号公報
【発明の開示】
【発明が解決しようとする課題】
【０００４】
マップランプは車両室内が暗い時に使用される。しかし、車両室内が暗い時にはマップランプのスイッチの位置を把握しづらい。この問題を解決するため、マップランプのスイッチを照明することや、マップランプのスイッチに発光部を設けることなどの対策が考えられる。このようにすれば、車両室内が暗い時でも光によってマップランプのスイッチの位置を把握しやすくなる。しかし、スイッチ部を車両室内という限られたスペースに設けることを考慮すれば、マップランプのスイッチを照明する光源を設けることや、マップランプのスイッチに発光部を設けその発光部に光を供給する光源を設けることは現実的には難しい。また、限られたスペースにマップランプとマップランプのスイッチに加えて光源を設置することは取り付け作業を煩雑にする。
そこで本発明は、例えば車両室内のマップランプのスイッチ等の位置を夜間等でも容易に把握でき、取り付け作業性に優れた照明装置を提供する。さらに、車両室内のデザイン性の向上に寄与する照明装置を提供することを目的とする。
【課題を解決するための手段】
【０００５】
本発明は以上の目的の少なくとも一つを達成するために、以下に示す照明装置を提供する。即ち、
放出光の一部が室内照明に使用される光源と、
前記光源の点灯制御以外に使用されるスイッチ部と、及び
前記光源の放出光の他の一部を導入する第１光導入面と、前記スイッチ部の外周の少なくとも一部に沿って形成された第１光放出面とを備える導光体と、
を備える照明装置である。
【発明の効果】
【０００６】
本発明の照明装置では、光源の光の一部を室内照明に使用し、他の一部を導光体に導入する。そして導光体に導入された光は、スイッチ部の外周の少なくとも一部に沿って形成された第１光放出面より放出される。これによってスイッチ部の外周付近が発光し、暗所でもスイッチ部の位置を容易に把握することが可能となる。また、室内照明に使用する光源の光の一部を利用してスイッチ部の外周付近を発光させるため、スイッチ部の外周付近を発光させるための光源を別途設ける必要がない。このように室内照明に使用する光源とスイッチ部外周付近を発光させるための光源とを共通化することで部品数の削減ができ、低コスト化及び取り付け作業性の向上も達成される。
【発明を実施するための最良の形態】
【０００７】
以下、本発明における照明装置の構成要素について詳細に説明する。
（光源）
本発明で用いられる光源は、放出光の一部を室内照明に用いる照明装置の光源として使用される。例えば、車両室内、エレベータ室内、居室内などの室内を照明する照明装置の光源として用いられる。
光源の種類は特に限定されず、例えば、LED、電球（バルブ）、蛍光灯、冷陰極管などをここでの光源として用いることができる。中でもLEDを用いることが好ましい。LEDは小型であるため光源用のスペースが少なくて済むという利点を有する。またLEDは消費電力が小さいことから省エネルギー化の要請にも沿うものである。更にLEDは発熱量が小さく周りの部材に与える影響が少ないといった利点も併せ持つ。加えてLEDは長寿命であるからメンテナンスの面などからも有利なものとなる。更に言えば、LEDは振動、衝撃に強いことから信頼性の高い光源を構成できるといった利点もある。LEDのタイプは特に限定されず、砲弾型、ＳＭＤ型等、種々のものを採用できる。チップオンボード型のＬＥＤを用いても良い。ＬＥＤは広指向角のＬＥＤを用いることが好ましい。例えば、光源の放出光のうち、指向角が１０°〜２０°の光を室内照明に使用し、それ以外の指向角の光をスイッチ部付近の照明に使用する。尚、複数のLEDを光源として用いても良い。ＬＥＤの発光色は特に限定されず、白、赤、緑、青等の光を発生するＬＥＤを採用できる。
【０００８】
（スイッチ部）
本発明で用いられるスイッチ部は、少なくとも一つのスイッチを備える。例えば、第１のスイッチと第２のスイッチとを備えるスイッチ部としても良い。スイッチ部の形状は特に限定されないが、スイッチの配置やスイッチの形状などを考慮して決定することができる。例えば平面視が、矩形、円形、楕円形などを採用できる。スイッチ部の形状は、スイッチ部の外周がスイッチの縁の一部に沿った形状であることが好ましい。例えば、スイッチ部がスイッチを一つ備える場合、スイッチの縁をスイッチ部のとなるように構成しても良い。
【０００９】
スイッチ部が備えるスイッチの形状も特に限定されず、矩形、円形、楕円形等を採用できる。スイッチのタイプも特に限定されず、プッシュタイプ、シーソータイプなど周知のタイプを採用できる。スイッチ部が第１のスイッチと第２のスイッチとを備える場合、第１のスイッチを円形とし、第２のスイッチを矩形とするなど、互いに異なる形状としても良い。また、第１のスイッチをプッシュタイプとし、第２のスイッチをシーソータイプとするなど、第１のスイッチのタイプと第２のスイッチのタイプとを異なるものとしても良い。スイッチは上述の光源の点灯状態を制御するものではなく、他の装置を制御する。例えば、スポットライトの点灯状態を制御する。
【００１０】
（導光体）
導光体は光透過性材料から構成される。ここで用いる光透過性材料としては、アクリル樹脂、ポリエチレンテレフタレート（ＰＥＴ）、ポリカーボネート樹脂、シリコーン樹脂、エポキシ樹脂等の合成樹脂や、ガラスなどの無機材料を採用することができる。
導光体は光源の光放出側に設けられ、第１光導入面と第１光放出面とを備える。第１光導入面は光源の光放出側に対向するように設けられ、光源の光の一部を導入する。第１光放出面はスイッチ部の外周の一部または全部に沿って形成され、第１光導入面から導入した光を放出する。第１光放出面の形状は特に限定されず、スイッチ部の外周に沿った均一な幅の帯状や、スイッチ部のスイッチ付近の外周に沿う部分の幅を広くした帯状など、スイッチ部の視認性や照明装置の装飾性等を考慮して種々の形状を採用できる。尚、第１光放出面をスイッチ部の外周に沿って島状に不連続に設けても良い。このとき、スイッチ部の角部に沿って第１光放出面を形成することが好ましい。より好ましくはスイッチ部の少なくとも二つの角部に沿って第１光放出面を形成する。スイッチ部の位置が把握しやすくなるからである。
【００１１】
光源の光放出側全体を覆うように導光体を設けることが好ましい。このとき、導光体は第１光導入面とは異なる第２光導入面と、第１光放出面とは異なる第２光放出面とを備える。導光体は、光源の光のうち、主として室内照明に用いられる光を第２光導入面から導入し、導入光を第２光放出面から放出する。かかる構成によると、光源の光のうち、室内照明に用いられる光も導光体を通って放出されることとなる。
【００１２】
本発明の一の実施態様では、導光体はスイッチ部用の開口部を備える。スイッチ部用の開口部を利用してスイッチが備えられる。スイッチ部用の開口部の光源側壁面は受光した光源の光を導光体の縁部方向へ反射するような傾斜を有することが好ましい。かかる構成によると、導光体に導入された光が当該壁面を通って導光体外へ漏洩することを防止できる。即ち、光の有効利用が図られ、結果として第１光放出面から放出される光の輝度が高まる。また、開口部の光源側壁面による反射光が導光体の縁部方向へ進行するため導光体内の光の輝度が均一化され、第１光放出面から放出される光の輝度が均一化される。
【００１３】
導光体の第１光放出面は拡散処理が施されていることが好ましい。このようにすることにより、第１光放出面からの放出光が拡散されるため、第１光放出面から放出される光の輝度が均一化される。また、つや消し感のある発光態様が得られる。第１光放出面には拡散処理を施さず、導光体縁部の反射面に拡散処理を施してもよい。かかる態様では、光が外部放射される面が平滑であるから、透明感のある発光態様となる。拡散処理の方法としては、シボ処理、光拡散フィルムの貼付など、周知の方法を採用できる。尚、第２光放出面の形状は特に限定されず、凸レンズ形状等を採用できる。
【００１４】
導光体が蛍光体を含んでいてもよい。光源の光を受けて蛍光するものであれば有機系、無機系を問わず、所望の蛍光色を発する蛍光体を適宜選択して使用することができることができる。有機系の蛍光体を用いることによりクリアー感のある蛍光色の光を得ることができる。無機系の蛍光体を用いると艶消し感のある蛍光色の光を得ることができる。
また、第１光放出面及び／又は第２光放出面に光透過性フィルムを貼付しても良い。所望の色を有するフィルムを貼付することにより、所望の色の光を第１光放出面及び／又は第２光放出面から放出させることができる。
【００１５】
以下に、本発明における照明装置の実施例を用いて本発明をより詳細に説明する。
【実施例１】
【００１６】
本発明の一の実施例である照明装置１の正面図を図１に示し、図１におけるＡ−Ａ断面図を図２に示す。また導光体２の正面図を図３に示し、図３におけるＢ−Ｂ断面図を図４に示す。
照明装置１は車両室内天井に設置される。照明装置１はスイッチ部３、マップランプ５１及び５２、光源７並びに導光体２を備える。スイッチ部３は、枠９に固定された本体６の略中央に備えられる。スイッチ部３にはスイッチ３１及び３２が、後述する導光体２のスイッチ部用の開口部２８及び２９を利用して設置される。スイッチ部３の外周は、スイッチ３１の上縁、下縁及び片方の側縁と、スイッチ３２の上縁、下縁及び片方の側縁とに沿っている。スイッチ３１及び３２は、スイッチ部３の左右に備えられるマップランプ５１及び５２の点灯状態をそれぞれ制御する。また、スイッチ部３の中央部には円形の開口部を有する配光制御用のカバー１０が備えられる。カバー１０の開口部からは導光体２の第２光放出面２１が露出している。光源７は第２光放出面２１の後方に設けられる。光源７はＳＭＤ（表面実装）型のＬＥＤであって、光源７の光軸が基板８に略垂直になるように基板８上に設置される。光源７は車幅灯と連動してその発光状態が制御される。
【００１７】
導光体２は略板状であって中央部は隆起しており、光源７の光放出側全体を覆うように設置される（図３及び４参照）。導光体２の両縁部４は、中央部の隆起した方向と同方向へ略垂直に折曲している。導光体２は、光源７の側面に対向する第１光導入面２３と、光源７の上面に対向する第２光導入面２４とを備える。導光体２はさらに、第２光導入面２４の反対側の面に第２光放出面２１を備え、縁部４に反射面２５を備え、及び導光体２の縁部上面に第１光放出面２２を備える。第１光放出面２２はスイッチ部の全外周に略沿うように形成されている。導光体２はスイッチ部用の開口部２８及び２９を備える。開口部２８及び２９の光源７側壁面は壁面中央で折曲し、光源７側へＶ字状に傾斜している。尚、第１光放出面２２には拡散処理が施されており、第２光放出面の形状は凸レンズ形状である。
【００１８】
以下に照明装置１の使用態様を説明する。夜間等に車幅灯と連動して光源７が発光する。光源７の上面から放出された光は、主として光源７の上面に対向する導光体２の第２光導入面２４から導光体２に導入される。第２光導入面２４から導入された光は第２光放出面２１から放出される。第２光放出面２１は凸レンズ形状であり放出される光は集光し、シフトレバー付近を照明する。一方、光源７の側面から放出された光は、主として導光体２の側面に対向する第１光導入面２３から導光体２内に導入される。第１光導入面２３から導入された光の一部は、スイッチ部用の開口部２８及び２９の壁面２６及び２７の方向へ進行し、壁面２６及び２７は受光した光を導光体２の縁部４方向へ反射する（図３及び図４参照）。第１光導入面２３から導入された光のその他の光は直接又は、導光体２内で屈折を繰り返して縁部４方向へを進行する。縁部４方向へ進行した光は反射面２５により第１光放出面２２方向へ反射され、第１光放出面２２から放出される（図４参照）。第１光放出面２２には拡散処理が施されているため、第１光放出面２２から放出された光は拡散する。そのため、スイッチ部３の外周付近は均一化された輝度で発光することとなる。
尚、反射面２５に拡散処理を施してもよい。例えば、シボ、白色テープ、白色印刷により拡散処理を施してもよい。
【００１９】
以上のように、照明装置１は夜間等に車幅灯と連動して、シフトレバー付近を照明すると同時にスイッチ部３の外周付近を発光させる。これにより、車両室内が暗い時でもスイッチ３１及び３２の位置を容易に把握できることとなり、マップランプ５１及び５２使用時の操作性が向上する。また、照明装置１によると、室内照明用光源７の光の一部を利用してスイッチ部３の外周付近を発光させるため、スイッチ部３の外周付近を発光させるための光源を別途設ける必要がなく、光源用のスペースが少なくて済む。さらに、室内照明用光源７とスイッチ部３の外周付近を発光させるための光源とを共通化することで部品数が減り、低コスト化及び取り付け作業性の向上が達成される。
【実施例２】
【００２０】
本発明の他の実施例である照明装置１００の正面図を図５に示し、図５におけるＣ−Ｃ断面図を図６に示す。導光体２００の正面図を図７に示した。また、光源７付近の一部拡大図を図８に示す。尚、以下の説明において使用する図面において、上述の照明装置１と同一の部材には同一の符号を付してその説明を省略する。
照明装置１００は居室内の壁に設置される。照明装置１００は、カバー６０の中央部にスイッチ部３００と、カバー６０下部の内部の基板８上に光源７と、及び光源７の光放出側を覆うように導光体２００とを備える。スイッチ部３００は３つのシーソータイプのスイッチ３１０、３１１及び３１２を備える。各スイッチ３１０、３１１及び３１２は、制御線３０４と接点３０５、３０６及び３０７とのそれぞれの電気的接続状態をオン又はオフとすることで他の室内照明の点灯状態を制御する。スイッチの制御線３０４は後述の導光体２００の開口部２８０を利用して電源等と接続される。光源７はその光軸が基板８と略垂直であって、下方向に光が放出されるように設置される。
導光体２００は略板状であり、下部に光源７の光放出側全体を覆う部分を有する。導光体２００はスイッチ部３００の外周に沿って第１光放出面２２０を備え、第１光導入面２３、第２光導入面２４及び第２光放出面２１を備える。導光体２００はスイッチ部３００の上端面及び側面に略沿って折曲しており、光源７の光を第１光放出面２２０方向に反射するように傾斜した第１反射面２５１を備える。さらに導光体２００は第１光放出面２３から導入された光を第１反射面２５１の方向に反射するように傾斜した第２反射面２５２及び第３反射面２５３を備える。導光体２００の板状部分の中央部には制御線３０４用の開口部２８０を備える。開口部２８０の光源７側壁面２６０は壁面中央で折曲し、光源７側へＶ字状に傾斜している（図７参照）。
【００２１】
次に照明装置１００の使用態様を説明する。夜間等に他の室内照明と連動して、他の室内照明が消灯している時に光源７が発光する。光源７の上面から放出された光は、主として光源７の上面に対向する導光体２００の第２光導入面２４から導光体２００に導入され、第２光放出面２１から放出される。第２光放出面２１は凸レンズ面であり放出された光は集光し、照明装置１００の下部を照明する。一方、光源７の側面から放出された光は、光源７の側面に対向する第１光導入面２３から導光体２００内に導入される。第１光導入面２３から導入された光の一部は第２反射面２５２の方向へ進む（図８参照）。第２反射面２５２は受光した光を第１反射面２５１の方向に反射する。第２反射面２５２により反射された光の一部は開口部２８０の光源７側の壁面２６０へ進み、壁面２６０は受光した光を第１反射面２５１の方向へ反射する。第１光導入面２３から導入された光の他の一部は直接又は屈折を繰り返し第１光放出面２２０の方向へ進む（図８参照）。第１光導入面２３から導入された光のさらに他の一部は第３反射面２５３の方向へ進む（図７参照）。第３反射面２５３は受光した光を第１反射面２５１の方向に反射する。第３反射面２５３により反射された光の一部は開口部２８０の光源７側の壁面２６０へ進み、壁面２６０は受光した光を第１反射面２５１の方向へ反射する。第１反射面２５１は受光した光を第１光放出面２２０の方向へ反射し、第１反射面２５１による反射光は第１光放出面２２０から放出される。第１光放出面２２０は拡散処理が施されており放出光は拡散するため、スイッチ部３００の外周付近が均一な輝度で発光する。
【００２２】
以上のように、照明装置１００は夜間等に他の室内照明装置と連動して、照明装置１００の下部壁面及び床面を照明すると同時にスイッチ部３００の外周付近を発光させる。これにより、暗い室内でもスイッチ３１０、３２０及び３３０の位置が容易に把握できることとなり、スイッチの使い勝手が向上する。
【００２３】
この発明は上記発明の実施の態様及び実施例の説明に何ら限定されるものではない。特許請求の範囲を逸脱せず、当業者が容易に想到できる範囲で種々の変形態様もこの発明に含まれる。
【産業上の利用可能性】
【００２４】
本発明の照明装置は、例えば、車両室内のマップランプ点灯制御スイッチ照明、エレベータ操作パネル照明、居室内照明スイッチ照明等に好適に用いられる。
【００２５】
以下、次の事項を開示する。
１１．  前記第１光放出面に光拡散処理が施されている、請求項１〜４のいずれかに記載の照明装置。
１２．  前記スイッチ部が二つ以上のスイッチを備える、請求項１〜４又は１１．のいずれかに記載の照明装置。
１３．  前記第１光放出面が、前記スイッチ部の少なくとも二つの角部に沿って形成される、請求項１〜４、１１．又は１２．のいずれかに記載の照明装置。
１４．  前記スイッチ部が車両室内マップランプの点灯制御に使用される、請求項１〜４、又は１１．〜１３．のいずれかに記載の照明装置。
１５．  前記光源がＬＥＤである請求項１〜４又は１１．〜１４．のいずれかに記載の照明装置。
【図面の簡単な説明】
【００２６】
【図１】図１は本発明の他の実施例である照明装置１の正面図である。
【図２】図２は図１におけるＡ−Ａ断面図である。
【図３】図３は照明装置１に用いられる導光体２の正面図である。
【図４】図４は図３におけるＢ−Ｂ断面図である。
【図５】図５は本発明の他の実施例である照明装置１００の正面図である。
【図６】図６は図５におけるＣ−Ｃ断面図である。
【図７】図７は導光体２００の正面図である。
【図８】図８は図６における光源７付近の一部拡大図である。
【符号の説明】
【００２７】
１  １００  照明装置
２  ２００  導光体
２１  第２光放出面
２２  第１光放出面
２３  第１光導入面
２４  第２光導入面
２５  反射面
３  ３００  スイッチ部
３１  ３２  ３１０  ３１１  ３１２  スイッチ
７  光源
２８  ２９  ２８０  スイッチ用開口部
【図１】
2006007856.tif 000003
【図２】
2006007856.tif 000004
【図３】
2006007856.tif 000005
【図４】
2006007856.tif 000006
【図５】
2006007856.tif 000007
【図６】
2006007856.tif 000008
【図７】
2006007856.tif 000009
【図８】
2006007856.tif 000010